(57)【特許請求の範囲】
【請求項１】
遠隔地にある情報処理装置と音声回線を介して音声通話を行い、パケット回線を介してデータ通信を行うことによって、音声を文字情報に変換する文字入力装置であって、
前記文字入力装置は、
音声を入力する入力手段と、
前記入力手段によって入力された前記音声を前記音声回線を介して前記情報処理装置に送信する送信手段と、
前記情報処理装置から前記パケット回線を介して返送されてきた前記音声の認識結果を受信する第１の受信手段と、
前記認識結果を所定の表示装置に表示させる認識結果表示手段と、
前記認識結果の修正を指示する修正情報を前記パケット回線を介して前記情報処理装置に送信する修正指示手段と、
前記修正情報に基づいて修正された修正後の前記認識結果に対して、かな漢字変換の開始を指示する変換指示手段と、
前記情報処理装置から前記パケット回線を介して返送されてきた前記認識結果に対するかな漢字変換結果を受信する第２の受信手段と、
前記かな漢字変換結果を前記表示装置に表示させるかな漢字変換結果表示手段と
を備えることを特徴とする文字入力装置。
【請求項２】
前記修正情報は、前記認識結果に対応する文字列の修正すべき誤った文字の位置を示す情報と、正しい文字を示す情報の組み合わせによって構成される
ことを特徴とする請求項１に記載の文字入力装置。
【請求項３】
前記音声の認識結果は、前記情報処理装置による音声認識によって得られた前記音声に対応する文字情報である
ことを特徴とする請求項１または２に記載の文字入力装置。
【請求項４】
前記音声回線による音声通話と、前記パケット回線によるデータ通信とは同時に並行して行われる
ことを特徴とする請求項１，２または３に記載の文字入力装置。
【請求項５】
所定の文字入力装置が遠隔地にある情報処理装置と音声回線を介して音声通話を行い、パケット回線を介してデータ通信を行うことによって、音声を文字情報に変換する文字入力システムであって、
前記文字入力装置は、
音声を入力する入力手段と、
前記入力手段によって入力された前記音声を前記音声回線を介して前記情報処理装置に送信する送信手段と、
前記情報処理装置から前記パケット回線を介して返送されてきた前記音声の認識結果を受信する第１の受信手段と、
前記認識結果を所定の表示装置に表示させる認識結果表示手段と、
前記認識結果の修正を指示する修正情報を前記パケット回線を介して前記情報処理装置に送信する修正指示手段と、
前記修正情報に基づいて修正された修正後の前記認識結果に対して、かな漢字変換の開始を指示する変換指示手段と、
前記情報処理装置から前記パケット回線を介して返送されてきた前記認識結果に対するかな漢字変換結果を受信する第２の受信手段と、
前記かな漢字変換結果を前記表示装置に表示させるかな漢字変換結果表示手段と
を備え、
前記情報処理装置は、
前記文字入力装置から前記音声回線を介して送信されてきた前記音声を受信する第３の受信手段と、
前記第３の受信手段によって受信された前記音声を認識する音声認識手段と、
前記音声認識手段によって認識された認識結果を前記パケット回線を介して前記文字入力装置に返送する第１の返送手段と、
前記文字入力装置から前記パケット回線を介して送信されてきた前記認識結果の修正を指示する修正情報を受信する第４の受信手段と、
前記第４の受信手段によって受信された前記修正情報に基づいて前記認識結果を修正する修正手段と、
前記文字入力装置の前記変換指示手段による指示に応じて、前記修正手段によって修正された前記認識結果をかな漢字変換するかな漢字変換手段と、
前記かな漢字変換手段によって変換されたかな漢字変換結果を前記文字入力装置に前記パケット回線を介して返送する第２の返送手段と、
を備える
ことを特徴とする文字入力システム。
【請求項６】
前記文字入力装置は、前記情報処理装置の前記かな漢字変換手段による前記かな漢字変換結果を所定のアドレスに前記情報処理装置に送信するよう指示する指示手段をさらに備え、
前記情報処理装置は、前記指示手段によって指示された前記アドレスに前記かな漢字変換結果を送信する変換結果送信手段をさらに備える
ことを特徴とする請求項５に記載の文字入力システム。
【請求項７】
所定の文字入力装置が遠隔地にある情報処理装置と音声回線を介して音声通話を行い、パケット回線を介してデータ通信を行うことによって、音声を文字情報に変換する文字入力方法であって、
前記文字入力装置は、
音声を入力する入力ステップと、
前記入力ステップにおいて入力された前記音声を前記音声回線を介して前記情報処理装置に送信する第１の送信ステップと、
前記情報処理装置から前記パケット回線を介して返送されてきた前記音声の認識結果を受信する第１の受信ステップと、
前記認識結果を所定の表示装置に表示させる認識結果表示ステップと、
前記認識結果の修正を指示する修正情報を前記パケット回線を介して前記情報処理装置に送信する修正指示ステップと、
前記修正情報に基づいて修正された修正後の前記認識結果に対して、かな漢字変換の開始を指示する変換指示ステップと、
前記情報処理装置から前記パケット回線を介して返送されてきた前記認識結果に対するかな漢字変換結果を受信する第２の受信ステップと、
前記かな漢字変換結果を前記表示装置に表示させるかな漢字変換結果表示ステップと
を備えることを特徴とする文字入力方法。
【請求項８】
遠隔地にある情報処理装置と音声回線を介して音声通話を行い、パケット回線を介してデータ通信を行うことによって、音声を文字情報に変換する文字入力装置を制御する文字入力制御プログラムであって、
前記文字入力装置に、
音声を入力する入力ステップと、
前記入力ステップにおいて入力された前記音声を前記音声回線を介して前記情報処理装置に送信する第１の送信ステップと、
前記情報処理装置から前記パケット回線を介して返送されてきた前記音声の認識結果を受信する第１の受信ステップと、
前記認識結果を所定の表示装置に表示させる認識結果表示ステップと、
前記認識結果の修正を指示する修正情報を前記パケット回線を介して前記情報処理装置に送信する修正指示ステップと、
前記修正情報に基づいて修正された修正後の前記認識結果に対して、かな漢字変換の開始を指示する変換指示ステップと、
前記情報処理装置から前記パケット回線を介して返送されてきた前記認識結果に対するかな漢字変換結果を受信する第２の受信ステップと、
前記かな漢字変換結果を前記表示装置に表示させるかな漢字変換結果表示ステップとを実行させる
ことを特徴とする文字入力制御プログラム。
【発明の詳細な説明】
【０００１】
【発明の属する技術分野】
本発明は、文字入力装置に関し、特に、音声を入力することによって文字を入力する文字入力装置に関する。
【０００２】
【従来の技術】
特開２００２−１６７０１号公報には、携帯電話機から入力された音声を文字データに変換する変換装置が示されている。この変換装置は、電話回線を通して入力される音声情報を一旦録音し、その録音した音声情報を文字情報に変換するものである。また、特開２００１−３５０４９３号公報には、１本の電話回線網を用いて、音声データと文字データをあわせてやり取りする装置が示されている。
【０００３】
【発明が解決しようとする課題】
このように、携帯電話機から入力された音声情報を文字情報に変換する装置には、携帯電話機との間で複数の無線回線を同時に開くことができないことや、その無線回線の伝送速度の面で制約があるといった問題があった。即ち、音声通信回線、若しくはデータ通信回線のみで作業を行う必要があったため、一旦、変換装置（コンピュータ等）に音声情報を録音してから文字情報への変換を行っていた。その変換作業は、データ通信回線の制約のため、利用者の意図を反映し辛く、ほぼコンピュータの変換性能に依存する作業となっていたため、音声情報から文字情報への変換時の誤変換、及び文字情報に基づいたかな漢字変換時の誤変換が重複し、変換精度の向上が困難となって、結局、変換された文字列に対してボタン操作による文字入力（文字列修正）が必要となる場合があった。
【０００４】
特開２００２−１６７０１号公報に記載の装置は、電話回線を通して入力された音声情報を一旦録音し、その録音した音声情報を文字情報に変換する。また、音声情報から文字情報への変換時には利用者の意志は反映されない。
【０００５】
また、特開２００１−３５０４９３号公報に記載の装置では、１本の電話回線を用いて音声データと文字データをあわせてやり取りする装置が示されている。この装置では、１本の電話回線で音声データと文字データのやり取りを行うため、携帯電話機では現状困難と言える。また、先に示した特開２００２−１６７０１号公報の場合と同様、音声データから文字データへの変換時には利用者の意志が反映されず、誤変換された場合には、結局、携帯電話機のボタン操作による文字入力に頼ることになる。また、作成された文字データに対するかな漢字変換は、携帯電話機が行うようになっている。
【０００６】
特開２００１−３０９０４９では、音声データから文字データへの変換率向上手法について示されている。この手法を用いる場合、利用者は予め自身で利用する変換辞書を指定することによって変換率の向上が図られるとしている。しかしながら、変換そのものには利用者の意志は反映されず、変換の結果としての文字データを入手した後に、利用者は添削の必要が生じる。その場合、音声データから文字データへの変換時の誤変換と、文字データからかな漢字交じり文への変換時の誤変換の２重の誤変換が相乗している可能性のある文章の添削が必要となる。また、その添削結果を、再度、通信回線を通して変換装置（メール作成装置）に戻し、再変換要求をするなど、非常に手間がかかる。
【０００７】
本発明はこのような状況に鑑みてなされたものであり、携帯電話機等の情報端末での文字入力を音声によって簡単かつ迅速に行うことができるようにするものである。
【０００８】
【課題を解決するための手段】
請求項１に記載の文字入力装置は、遠隔地にある情報処理装置と音声回線を介して音声通話を行い、パケット回線を介してデータ通信を行うことによって、音声を文字情報に変換する文字入力装置であって、文字入力装置は、音声を入力する入力手段と、入力手段によって入力された音声を音声回線を介して情報処理装置に送信する送信手段と、情報処理装置からパケット回線を介して返送されてきた音声の認識結果を受信する第１の受信手段と、認識結果を所定の表示装置に表示させる認識結果表示手段と、認識結果の修正を指示する修正情報をパケット回線を介して情報処理装置に送信する修正指示手段と、修正情報に基づいて修正された修正後の認識結果に対して、かな漢字変換の開始を指示する変換指示手段と、情報処理装置からパケット回線を介して返送されてきた認識結果に対するかな漢字変換結果を受信する第２の受信手段と、かな漢字変換結果を表示装置に表示させるかな漢字変換結果表示手段とを備えることを特徴とする。
また、修正情報は、認識結果に対応する文字列の修正すべき誤った文字の位置を示す情報と、正しい文字を示す情報の組み合わせによって構成されるようにすることができる。
また、音声の認識結果は、情報処理装置による音声認識によって得られた音声に対応する文字情報とすることができる。
また、音声回線による音声通話と、パケット回線によるデータ通信とは同時に並行して行われるようにすることができる。
請求項５に記載の文字入力システムは、所定の文字入力装置が遠隔地にある情報処理装置と音声回線を介して音声通話を行い、パケット回線を介してデータ通信を行うことによって、音声を文字情報に変換する文字入力システムであって、文字入力装置は、音声を入力する入力手段と、入力手段によって入力された音声を音声回線を介して情報処理装置に送信する送信手段と、情報処理装置からパケット回線を介して返送されてきた音声の認識結果を受信する第１の受信手段と、認識結果を所定の表示装置に表示させる認識結果表示手段と、認識結果の修正を指示する修正情報をパケット回線を介して情報処理装置に送信する修正指示手段と、修正情報に基づいて修正された修正後の認識結果に対して、かな漢字変換の開始を指示する変換指示手段と、情報処理装置からパケット回線を介して返送されてきた認識結果に対するかな漢字変換結果を受信する第２の受信手段と、かな漢字変換結果を表示装置に表示させるかな漢字変換結果表示手段とを備え、情報処理装置は、文字入力装置から音声回線を介して送信されてきた音声を受信する第３の受信手段と、第３の受信手段によって受信された音声を認識する音声認識手段と、音声認識手段によって認識された認識結果をパケット回線を介して文字入力装置に返送する第１の返送手段と、文字入力装置からパケット回線を介して送信されてきた認識結果の修正を指示する修正情報を受信する第４の受信手段と、第４の受信手段によって受信された修正情報に基づいて認識結果を修正する修正手段と、文字入力装置の変換指示手段による指示に応じて、修正手段によって修正された認識結果をかな漢字変換するかな漢字変換手段と、かな漢字変換手段によって変換されたかな漢字変換結果を文字入力装置にパケット回線を介して送信する第３の送信手段とを備えることを特徴とする。
また、文字入力装置は、情報処理装置のかな漢字変換手段によるかな漢字変換結果を所定のアドレスに情報処理装置に送信するよう指示する指示手段をさらに備え、情報処理装置は、指示手段によって指示されたアドレスにかな漢字変換結果を送信する変換結果送信手段をさらに備えるようにすることができる。
請求項７に記載の文字入力方法は、所定の文字入力装置が遠隔地にある情報処理装置と音声回線を介して音声通話を行い、パケット回線を介してデータ通信を行うことによって、音声を文字情報に変換する文字入力方法であって、文字入力装置は、音声を入力する入力ステップと、入力ステップにおいて入力された音声を音声回線を介して情報処理装置に送信する第１の送信ステップと、情報処理装置からパケット回線を介して返送されてきた音声の認識結果を受信する第１の受信ステップと、認識結果を所定の表示装置に表示させる認識結果表示ステップと、認識結果の修正を指示する修正情報をパケット回線を介して情報処理装置に送信する修正指示ステップと、修正情報に基づいて修正された修正後の認識結果に対して、かな漢字変換の開始を指示する変換指示ステップと、情報処理装置からパケット回線を介して返送されてきた認識結果に対するかな漢字変換結果を受信する第２の受信ステップと、かな漢字変換結果を表示装置に表示させるかな漢字変換結果表示ステップとを備えることを特徴とする。
請求項８に記載の文字入力プログラムは、遠隔地にある情報処理装置と音声回線を介して音声通話を行い、パケット回線を介してデータ通信を行うことによって、音声を文字情報に変換する文字入力装置を制御する文字入力制御プログラムであって、文字入力装置に、音声を入力する入力ステップと、入力ステップにおいて入力された音声を音声回線を介して情報処理装置に送信する第１の送信ステップと、情報処理装置からパケット回線を介して返送されてきた音声の認識結果を受信する第１の受信ステップと、認識結果を所定の表示装置に表示させる認識結果表示ステップと、認識結果の修正を指示する修正情報をパケット回線を介して情報処理装置に送信する修正指示ステップと、修正情報に基づいて修正された修正後の認識結果に対して、かな漢字変換の開始を指示する変換指示ステップと、情報処理装置からパケット回線を介して返送されてきた認識結果に対するかな漢字変換結果を受信する第２の受信ステップと、かな漢字変換結果を表示装置に表示させるかな漢字変換結果表示ステップとを実行させることを特徴とする。
【０００９】
【発明の実施の形態】
現在、普及が始まったいわゆる第３世代携帯電話機では、音声通信とパケット通信を同時に行うことが可能となり、あわせてパケット通信の回線速度の大幅な向上をも果たしている。本発明は、この機能を用いることにより、音声によって入力した音声情報を音声通信により遠隔地にあるコンピュータに送信し、音声情報の文字情報への変換結果である文字列をパケット通信により返送してもらうことで、リアルタイムな操作性と入力結果の確認を行うことを可能とし、また、かな漢字変換のコントロールも可能としている。
【００１０】
また、本発明では、音声情報から文字情報への変換は、リアルタイムで行われることを想定している。また、音声情報から文字情報への変換時には、パケット通信回線を通して、かな漢字変換の制御や文字編集機能の利用を可能としている。
【００１１】
また、本発明では、電話回線とパケット通信回線の２回線を使うことによって、利用者が手にしている携帯電話機のみで、音声の文字データへの変換のコントロールと、文字データのかな漢字変換のコントロールを可能としている。そのため、利用者には、あたかも手元の携帯電話機のみで、良好な操作性とかな漢字交じり文の取得が可能となっているような感覚を与えることができる。
【００１２】
また、本発明では、音声から文字データへの変換時、或いはかな漢字交じり文への変換時には、各々利用者の意志通りに変換と修正を可能としているので、誤変換を修正するためのより良好な操作性を実現している。
【００１３】
本発明の特長は、携帯電話機で特定の箇所へ音声電話をかけることによって、話した内容を文字で受け取ることを可能とし、その結果、煩わしい携帯電話機での文字入力による労力を大幅に軽減できることである。
【００１４】
以下、本発明の実施の形態について図面を参照して詳細に説明する。図１は、本発明を応用した通信システムの第１の実施の形態の構成例を示すブロック図である。
【００１５】
図１に示すように、本実施の形態は、メールや文字データを扱うことができる携帯電話機１と、携帯電話機１の通信相手となる、携帯電話機１と電話回線（音声回線）４で接続された自動応答機能を有する変調装置２と、変調装置２と接続されるとともに、インターネット等の通信回線５とも接続され、音声認識やかな漢字変換処理等を行うコンピュータ３等により構成されている。携帯電話機１は、音声データを電話回線４を経由して変調装置２を介してコンピュータ３に送信することができるようになっている。また、携帯電話機１は、文字データや画像データ等を、通信回線５を介してコンピュータ３との間でやり取りすることができるようになっている。
【００１６】
ここで、電話回線４は、一般的な電話回線網を想定している。アナログ回線の場合もあるし、ＩＳＤＮや光回線のようなデジタル回線の場合もあり得る。ただし、最終的には、一般の電話のように、変調装置２にはアナログ音声として届くことを想定している。そのため、引き込み回線がアナログであれば、変調装置２はＡ／Ｄ変換を行うモデムになり、引き込み回線がＩＳＤＮ（ｉｎｔｅｇｒａｔｅｄ  ｓｅｒｖｉｃｅｓ  ｄｉｇｉｔａｌ  ｎｅｔｗｏｒｋ）や光回線であれば、変調装置２はＤ／Ｄ変換を行うＴＡ（ｔｅｒｍｉｎａｌ  ａｄａｐｔｅｒ）のようなものとなる。
【００１７】
携帯電話機１は、後述する各部を制御し、各種情報を保管するＣＰＵ（ｃｅｎｔｒａｌ  ｐｒｏｃｅｓｓｉｎｇ  ｕｎｉｔ）＆メモリ部１１と、各種情報を表示するディスプレイ１２と、利用者が所定のデータやコマンドを入力するときに操作される複数のボタンからなるボタン操作部１３と、音声を入力し、対応する電気信号に変換して出力するマイク１４と、ボタン操作部１３のボタンが押されたときに、トーン音を発するトーン音発信部１５と、文字編集を行うソフトウェアを含む文字編集部１６と、メールの送受信を行うソフトウェアを含むメール送受信部１７と、無線音声通信を行う音声通信部１８と、無線パケット通信を行うパケット通信部１９とから構成されている。
【００１８】
一方、コンピュータ３は、後述する各部を制御し、各種情報を保管するＣＰＵ＆メモリ部３１と、音声を認識し、認識結果に対応する文字情報に変換するソフトウェアを含む音声認識部３２と、かな漢字変換機能を持つ文字編集部３３と、メールの送信を行うソフトウェアを含むメール送信部３４と、パケット通信を行うパケット通信部３５とから構成されている。
【００１９】
次に、本実施の形態の動作について詳細に説明する。本実施の形態では、まず、携帯電話機１より、自動応答機能を持つ変調装置２に電話回線４を介して音声電話をかける。変調装置２は、携帯電話機１から音声電話がかかってきたとき、自動応答機能に従って、携帯電話機１に対して音声により認証を要求する。この認証要求に対して、携帯電話機１の利用者（ユーザ）は、ボタン操作部１３より所定のボタン操作を行ってトーン音を発し、認証要求に対して応答する。
【００２０】
この認証要求に対する応答に対応する応答データは、電話回線４を介して変調装置２に送信される。変調装置２は、携帯電話機１から電話回線４を介して送信されてきた応答データをデジタルのデータに変換した後、コンピュータ３へ供給する。コンピュータ３のＣＰＵ＆メモリ部３１は、変調装置２から供給されたデジタルのデータに変換された応答データに対して、認証処理を行い、携帯電話機１の利用者が正当な利用者であるか否かを確認する。このとき、他の認証方法、例えば、電話回線開通時に得られる携帯電話機１が通知する発信者番号に基づいて認証処理を行うことにより、認証処理を簡略化することも可能である。また、認証が不要なら、これらの認証処理を削除することも可能である。
【００２１】
認証処理が完了した後、携帯電話機１から送信されてくる音声通話の内容は、変調装置２によってデジタルデータ化され、音声データとして、逐次、コンピュータ３に入力される。コンピュータ３上では、音声データから文字データへの変換のために、音声認識部３２によって音声認識機能を実現する音声認識プログラムが起動されており、この音声認識機能によって携帯電話機１からの音声データが逐次文字データに変換され、変換された文字データが文字編集部３３に供給される。また、文字データは、パケット通信部３５より通信回線５を介して携帯電話機１に返送される。文字編集部３３においては、文字編集部３３に搭載されているかな漢字変換ソフトウェアによって、上記文字データが適当なかな漢字交じり文に変換される。
【００２２】
また、認証が完了したタイミングで、デジタルデータを送受信することが可能なパケット通信を行う通信回線５（インターネットなど）を、携帯電話機１のパケット通信部１９とコンピュータ３のパケット通信部３５との間で開いておく。
【００２３】
コンピュータ３のパケット通信部３５は、コンピュータ３の文字編集部３３によって音声データから文字データに変換された変換結果を取得し、取得した変換結果をパケット通信により携帯電話機１のパケット通信部１９へ通信回線５を介して送信する。携帯電話機１のパケット通信部１９は、通信回線５を介して受信した変換結果としての文字データを文字編集部１６に供給する。文字編集部１６は、パケット通信部１９より供給された文字データを編集し、ディスプレイ１２に表示する。これにより、利用者は、音声によって入力した内容を文字データで確認することができる。
【００２４】
また、文字編集部３３のかな漢字変換ソフトウェアが文字データをかな漢字交じり文に変換した変換結果が、パケット通信により携帯電話機１のパケット通信部１９へ通信回線５を介して送信される。携帯電話機１のパケット通信部１９は、通信回線５を介して受信した変換結果としてのかな漢字交じり文を文字編集部１６に供給する。文字編集部１６は、パケット通信部１９より供給されたかな漢字交じり文を編集し、ディスプレイ１２に表示する。これにより、利用者は、音声によって入力した内容に対応する文字データがかな漢字変換された変換結果を確認することができる。
【００２５】
このとき、携帯電話機１のボタン操作部１３から入力したデータを、パケット通信部１９から通信回線５を経由して、コンピュータ３のパケット通信部３５を介して文字編集部３３へフィードバックすることによって、携帯電話機１で行われるボタン操作により、コンピュータ３上で行われる音声データから文字データへの変換、及び文字データからかな漢字交じり文へのかな漢字変換を操作することが可能となる。また、同様に、コンピュータ３の文字編集部３３における文字編集作業をも操作することが可能となる。
【００２６】
これにより、携帯電話機１を用いて音声を入力する利用者は、あたかも携帯電話機１単体で、音声による文字入力、かな漢字変換、及び文字編集が行われているかのような感覚で操作することができ、良好な操作性を実現することができる。
【００２７】
次に、図２に示したフローチャートを参照して、本実施の形態の動作について詳細に説明する。以下では、変調装置２は、コンピュータ３に含まれるものとする。なお、図２において、三角マークが付されたステップＳ１３乃至Ｓ１７、ステップＳ１９、及びステップＳ２１乃至Ｓ２５は、パケット通信によって行われる処理であることを示している。まず最初に、利用者は、文字を入力したい場面で、携帯電話機１のボタン操作部１３を操作して音声入力アプリケーション（以下では適宜音声入力アプリと記載する）を起動する（ステップＳ１）。音声入力アプリは、マイク１４を介して入力された音声を処理したり、後述するような各種処理を実行するアプリケーションプログラムであり、ＣＰＵ＆メモリ部１１に格納されている。
【００２８】
音声入力アプリが起動された後、利用者は、携帯電話機１のボタン操作部１３を操作して、変調装置２を介してコンピュータ３へ通常の音声電話をかける（ステップＳ２）。この音声電話をかける場合、上記音声入力アプリケーションと連動して自動発信するようにすることができる。
【００２９】
また、音声入力アプリは、パケット通信を行う機能を有している。そして、パケット通信により、コンピュータ３とデータを送受信する場合には、所定のデータ圧縮を行うことができる。また、そのとき、機密保持のために暗号化するなどの処置を講ずることもできる。
【００３０】
また、音声入力アプリは、携帯電話機１の標準搭載機能としてもよいし、Ｊａｖａ言語（Ｊａｖａは、米国Ｓｕｎ  Ｍｉｃｒｏｓｙｓｔｅｍｓ，Ｉｎｃ．の米国及びその他の国における登録商標又は商標）などで記述され、インターネット等を介して適宜ダウンロードして携帯電話機１に音声入力機能を追加できるようなものでもよい。また、音声入力アプリを利用する際には、現在のかな漢字変換システムと同様のインターフェイス（文字入力の場面で自由に起動が可能）とすることができる。
【００３１】
音声電話が、携帯電話機１からコンピュータ３へかかってきたときには、コンピュータ３の変調装置２は、携帯電話機１の利用者に対して、音声による自動案内により認証要求を行い、認証情報の入力を促す（ステップＳ３）。例えば、「暗証番号を入力してください」等の音声メッセージを携帯電話機１に電話回線４を介して送信し、携帯電話機１の図示せぬスピーカから出力させる。
【００３２】
利用者は、携帯電話機１の図示せぬスピーカから出力された音声メッセージを聞くと、携帯電話機１のボタン操作部１３の、利用者固有の認証情報（暗証番号）に対応するボタンを操作して、トーン音を発生させることにより、認証情報（暗証番号）を入力し、認証応答を行う（ステップＳ４）。入力された認証情報は、電話回線４を介してコンピュータ３に送信される。
【００３３】
このとき、暗証番号の代わりに、音声電話を受信した際に通知される利用者情報（携帯電話機１の電話番号）等を認証情報として用いることもできる。また、認証が不要なら、この認証作業は省略することもできる。
【００３４】
コンピュータ３は、携帯電話機１から電話回線を介して送信されてきた認証情報に基づいて、携帯電話機１の利用者が正規の利用者であるか否かを認証する。利用者が正規の利用者であり、認証が成功し、認証が完了すると（ステップＳ５）、コンピュータ３のＣＰＵ＆メモリ部３１は、利用者別にセットアップ処理を行う（ステップＳ６）。例えば、コンピュータ３上で行われる音声認識や、かな漢字変換時に、各ユーザ毎に設定されたユーザ別の変換辞書を用いるようにする。これにより、変換効率を向上させることができる。
【００３５】
その後、コンピュータ３は、音声による自動案内やトーン音等により、認証が成功し、セットアップが完了したことを、電話回線４を介して携帯電話機１に通知する（ステップＳ７）。
【００３６】
認証完了後、利用者は、携帯電話機１の特定のボタン操作（例えば、”０＃”などのボタン押下）によって発生する一連のトーン音によって、認識開始コマンドを発行する（ステップＳ８）。この認識開始コマンドは、電話回線４を介してコンピュータ３に送信される。コンピュータ３のＣＰＵ＆メモリ部３１は、この認識開始コマンドを受信すると、音声入力待ちに移行する（ステップＳ９）。
【００３７】
利用者は、例えば、「せんじつのかいぎのけん」等の音声を発し、マイク１４から音声入力を行う（ステップＳ１０）。入力された音声は、電話回線４を介して、変調装置２経由でコンピュータ３に供給される。その後、特定のボタン操作（例えば、”９＃”などのボタン押下）によってトーン発信部１５より発信されるトーン音によって変換コマンドを電話回線４に送出する（ステップＳ１１）。この変換コマンドは、電話回線４を介してコンピュータ３に送信される。
【００３８】
音声入力待ちの状態にあるコンピュータ３は、携帯電話機１から電話回線４を介して送信されてきた音声に対応する音声データを変調装置２から受け取ると、音声認識部３２において、この音声データに基づいて音声認識を行い、対応する文字列データに変換する（ステップＳ１２）。そして、変換した文字列データを変換済み文字列としてＣＰＵ＆メモリ部３１に蓄積する。
【００３９】
その後、携帯電話機１から送信されてきた変換コマンドを受け取ると、それまでＣＰＵ＆メモリ部３１に貯めていた変換済み文字列（例えば、「せんじうおかいぎのけん」）を、パケット通信部３５の制御により、パケット通信により通信回線５を介して携帯電話機１に送信する（ステップＳ１３）。このとき、音声データから文字列データへの変換性能や、通信回線負荷などによっては、変換コマンドを用いずに、リアルタイムに音声認識及び文字列データへの変換を行い、変換済み文字列を携帯電話機１に送信するようにしてもよい。
【００４０】
携帯電話機１では、音声入力アプリが、通信回線５を介してパケット通信によって送信されてきた、コンピュータ３によって変換された文字列データ（いまの場合、「せんじうおかいぎのけん」）を受信し、文字編集部１６に供給する。文字編集部１６は、文字データを編集した後、携帯電話機１のディスプレイ１２に供給し、表示させる。そして、利用者はディスプレイ１２に表示された文字列を確認する（ステップＳ１４）。
【００４１】
利用者は、ディスプレイ１２に表示された文字列を確認した結果、文字列に誤りがあることが分かった場合、携帯電話機１のボタン操作部１３を操作して、文字列の誤りを訂正する。この例の場合、訂正情報（例えば、ボタン操作手順、若しくは、「４つ５の」（４番目を「つ」＆５番目を「の」の意味）等の差分情報等）を修正コマンドとして、音声入力アプリがパケット通信部１９を介してパケット通信により通信回線５を経由してコンピュータ３に送信する（ステップＳ１６）。
【００４２】
例えば、「せんじつのかいぎのけん」と発声し、コンピュータ３において変換され、携帯電話機１に変換結果が返送され、ディスプレイ１２に表示された文字列が、例えば、「せんじうおかいぎのけん」であった場合、利用者は、「う」と「お」をそれぞれ修正する必要がある。その修正作業において、ボタン操作が煩雑化したり、修正のため通信量が増加すると本実施の形態を用いることによって得られる効果が薄れるため、修正を指示する修正コマンドとして、差分情報等の訂正情報を送信するようにする。
【００４３】
例えば、カーソルが文字列の左端にある場合、ボタン操作部１３の図示せぬ右カーソルボタンを３回だけ押下して、４つ目の文字「う」を指定する、そして、所定のボタン操作を行って、「つ」を入力する。さらに、右カーソルを１回だけ押下して、５つ目の文字「お」を指定する。そして、所定のボタン操作を行って、「の」を入力する。これにより、正しい文字列「せんじつのかいぎのけん」を全文送信することなく、訂正情報のみをコンピュータ３に送信して再変換を指示することができる。
【００４４】
訂正情報として、ボタン操作手順情報を送信する場合、「右ボタン×３回」＋「つ」＋「右ボタン×１回」＋「の」を送信する。即ち、右ボタンに対応するデータを３回送信し、次に、「つ」に対応するデータを送信し、次に、右ボタンに対応するデータを１回送信し、次に、「の」に対応するデータを送信する。
【００４５】
また、訂正情報として、差分情報を送信する場合、「４つ５の」を送信する。即ち、「４」に対応するデータを送信し、次に、「つ」に対応するデータを送信し、次に、「５」に対応するデータを送信し、次に、「の」に対応するデータを送信する。
【００４６】
コンピュータ３は、携帯電話機１から通信回線５を介して送信されてきた修正コマンドを受信すると、修正作業を受け付け、修正コマンドに従って修正処理を行う（ステップＳ１９）。
【００４７】
又は、利用者が、ディスプレイ１２に表示された文字列を確認した結果、文字列を破棄したい場合、携帯電話機１のボタン操作部１３を操作して、ＮＧコマンドを発行し、文字列の破棄を指示する。ＮＧコマンドは、音声入力アプリによってパケット通信部１９を介してパケット通信により通信回線５を経由してコンピュータ３に送信される（ステップＳ１５）。コンピュータ３は、携帯電話機１から通信回線５を介してＮＧコマンドを受信すると、ＮＧコマンドの対象となる文字列を破棄する（ステップＳ１８）。
【００４８】
或いは、利用者が、ディスプレイ１２に表示された文字列を確認した結果、文字列の変換に問題がない場合、携帯電話機１のボタン操作部１３を操作して、ＯＫコマンドを発行する。ＯＫコマンドは、音声入力アプリによってパケット通信部１９を介してパケット通信により通信回線５を経由してコンピュータ３に送信される（ステップＳ１７）。コンピュータ３は、携帯電話機１から通信回線５を介してＯＫコマンドを受信すると、ＯＫコマンドの対象となる文字列の変換に問題がなかったことを認識する。
【００４９】
このように、コンピュータ３は、ステップＳ１３において携帯電話機１に送信した文字列に対して、携帯電話機１より、修正コマンド（訂正情報）、又はＮＧコマンド、又はＯＫコマンドを通信回線５を介してパケット通信により受信する。そして、コンピュータ３は、パケット通信で受け取った文字列の結果情報（訂正情報、又はＮＧコマンド、又はＯＫコマンド）に応じて、上述したように、文字列の修正、又は再入力、又はＯＫの処置を取る。即ち、訂正情報を受け取ったときは文字列を修正し、ＮＧコマンドを受け取ったときは文字列を破棄して再入力処理を行い、ＯＫコマンドを受け取ったときは、その文字列を保持する。
【００５０】
携帯電話機１から通信回線５を介して送信されてきたＯＫコマンドを受け取ると、コンピュータ３は、音声から文字列への変換が正しく行われたとみなし、文字編集部３３に搭載されたかな漢字変換ソフトウェアは、上記文字列に対してかな漢字変換処理を開始する（ステップＳ２０）。
【００５１】
そして、ＣＰＵ＆メモリ部３１は、かな漢字変換処理によって得られたかな漢字変換後の文字列（例えば、「先日の会議の権」）を変換候補として、パケット通信部３５の制御により、パケット通信によって通信回線５を介して携帯電話機１へ送信する（ステップＳ２１）。このとき、変換候補としての文字列とともに、変換候補としての文字列の文節の区切りを示す区切り情報を含めたデータを携帯電話機１に送信する。
【００５２】
携帯電話機１は、通信回線５を介してパケット通信によって受信した変換候補としての文字列と文節の区切り情報とに基づいて、文字列、例えば、「先日の／会議の／権」をディスプレイ１２に表示する。ここで、文字「／」は、文節の区切りを示している。利用者は、ボタン操作部１３を操作して、文節の区切り位置の変更や、かな漢字変換操作を行う。かな漢字変換操作のうち、変換後の文字を再変換する変換操作、例えば、「権」を再変換するための操作がなされると、この操作に対応する変換操作情報（いまの場合、「権」を再変換するための操作がなされたことを示す情報）が、音声入力アプリによってパケット通信により通信回線５を介してコンピュータ３にフィードバックされる（ステップＳ２２）。
【００５３】
コンピュータ３は、パケット通信により携帯電話機１より通信回線５を介して送信されてきた変換操作情報を受信し、変換作業を受け付けると（ステップＳ２３）、文字編集部３３のかな漢字変換ソフトウェアは、この変換操作情報に基づいた文字列変換処理を行い、文字列変換処理の結果を示す変換情報としての変換候補の一覧（いまの場合、「権」の変換候補一覧）をパケット通信部３５の制御により通信回線５を介してパケット通信により携帯電話機１へ返信する（ステップＳ２４）。
【００５４】
ステップＳ２２における処理と、ステップＳ２３、ステップＳ２４の処理が繰り返し実行されることにより、正しい文字列が作成され、ディスプレイ１２に表示される。そして、利用者が携帯電話機１のボタン操作部１３を用いて完了操作（例えば、決定ボタンの押下）を行うと、携帯電話機１のＣＰＵ＆メモリ部１１は所定の変換完了コマンドを発行し、この変換完了コマンドが、パケット通信部１９の制御により通信回線５を介してパケット通信によりコンピュータ３に送信される（ステップＳ２５）。
【００５５】
ＣＰＵ＆メモリ部１１は、ステップＳ２５において、所定の変換完了コマンドを発行した後、完成した文字列を文字編集部１６に供給する（ステップＳ２６）。文字編集部１６は、完成した文字列を編集してディスプレイ１２に表示させる。その後、ステップＳ１０に戻り、携帯電話機１は音声入力待ち状態へ移行する。
【００５６】
一方、携帯電話機１から通信回線５を介してパケット通信により送信されてきた変換完了コマンドを受け取ったコンピュータ３は、ステップＳ２４において得られた変換結果を、文字編集部３３に供給し、ステップＳ９に戻り、再び音声入力待ち状態へ移行する。
【００５７】
ステップＳ９乃至ステップＳ２６の処理を繰り返し実行することによって、所望する文章が完成すると、利用者は、携帯電話機１のボタン操作部１３に対して所定のボタン操作を行い、ボタン操作に応じてトーン音発信部１５が発信するトーン音によって、所定の終了コマンドを発行し、音声通信部１８の制御により電話回線４を介してコンピュータ３に送信するとともに、使用していたリソース（音声回線／パケット通信回線／音声入力アプリなど）を解放する。
【００５８】
コンピュータ３は、電話回線４を介して送信されてきた終了コマンドを受け付けると、使用していたリソース（音声回線／パケット通信回線／内部メモリなど）を解放する。
【００５９】
また、上記実施の形態では、携帯電話機１を使用して文字入力を行う場合を想定しているが、携帯電話機１の場合と同様に、音声回線及びパケット通信回線の同時利用が可能であれば他の機器であってもよい。
【００６０】
以上説明したように、本実施の形態においては以下に記載するような効果を奏する。第１の効果は、携帯電話機１での煩わしい文字入力を、音声によって簡単に行うことが可能となることである。
【００６１】
第２の効果は、音声入力による文章作成を遠隔地のコンピュータ３で行っているにも拘わらず、あたかも手元の携帯電話機１で音声入力による文章作成を行っているような良好な操作性を実現できることである。
【００６２】
第３の効果は、音声認識を行って文字列に変換する作業を、携帯電話機１ではなく別のコンピュータ３で行うので、既存の携帯電話機１に何ら改造を行うことなく、本実施の形態の機能を付加することが可能となることである。
【００６３】
第４の効果は、音声認識を行って文字列に変換する作業を、携帯電話機１ではなく別のコンピュータ３で行うので、携帯電話機１に比べて強力な演算装置（ＣＰＵ）や記憶装置（メモリ）を使うことができる。これにより、良好な変換効率を実現することができることである。
【００６４】
第５の効果は、音声認識を行って文字列に変換する作業を、携帯電話機１ではなく別のコンピュータ３で行うので、変換機能向上のためにコンピュータ３のかな漢字変換ソフトウェアの性能を向上させるだけで、全ての携帯電話機１のかな漢字変換効率の向上、及び操作性の改善を実現することができることである。また、問題が生じた場合の改修なども、迅速かつ一元的に管理して行うことができ、また、簡易に行うことができることである。
【００６５】
第６の効果は、音声認識を行って文字列に変換する作業を、携帯電話機１ではなく別のコンピュータ３で行うので、携帯電話機１への過剰な（高機能を有する）かな漢字変換機能を備える文字編集ソフトウェアの搭載を抑制することができ、メモリの節約や開発にかかるコストの削減を実現することができることである。
【００６６】
上記実施の形態では、携帯電話機１の文字編集部１６に完成した文字列を渡し、コンピュータ３の文字編集部３３上の完成した文字列は利用していないが、上述したように、携帯電話機１が終了コマンドをコンピュータ３に送信するときに、通信回線５を介してパケット通信により電子メールの宛先情報や電子掲示板などの記入フォームへの書き込みコマンドなどをコンピュータ３に送信することにより、作成した文字列をコンピュータ３上から指定した宛先へ電子メールを送信したり、指定した電子掲示板などの記入フォームへの書き込みを行うようにすることも可能である。
【００６７】
次に、本発明の第２の実施の形態について説明する。第２の実施の形態の基本的な構成は図１に示した第１の実施の形態の場合と同様である。第２の実施の形態は、音声認識と文字列への変換を行うコンピュータ３が、変換結果を第三者へ電子メールによって送付する機能、及び電子掲示板等の所定の記入フォームに変換結果を書き込む機能を有している。
【００６８】
即ち、利用者は、携帯電話機１のボタン操作部１３を操作することにより、ＣＰＵ＆メモリ部１１に保存されているアドレス帳から所望の宛先のアドレスを読み出し、通信回線５を介してパケット通信によりコンピュータ３に送信することができる。これにより、音声によって入力し、かな漢字変換された変換後の文字列を、コンピュータ３から所望の宛先に電子メールで送信することができる。従って、音声による文字入力の場合と同様の良好な操作性を実現することができ、さらに、アドレス帳の一元性をも実現することができる。
【００６９】
また、利用者が、携帯電話機１のボタン操作部１３を操作することにより、所定の電子掲示板などの記入フォームへの書き込みコマンドなどをコンピュータ３に送信することにより、作成した文字列をコンピュータ３上から指定した電子掲示板の所定の記入フォームに書き込むことができる。
【００７０】
以上説明したように、上記各実施の形態は、携帯電話機１より変調装置２に電話をかけることによって、携帯電話機１のマイク１４から入力した音声に対応する音声データを電話回線４を介してコンピュータ３に送信し、コンピュータ３の音声認識部３２が、携帯電話機１より電話回線４を介して送信されてきた音声データに基づいて音声を認識し、認識結果に対応する文字列データに変換し、文字列データをかな漢字交じり文に変換する。その際、いわゆる第３世代携帯電話機でサポートされている、音声通信とパケット通信を同時に行うことができる機能を利用することによって、あたかも、携帯電話機１単体で、高度な音声認識を行い、音声による文字入力が行われているかのような良好な操作性を実現することができる。
【００７１】
即ち、携帯電話機１のマイク１４を介して入力した音声の内容は、コンピュータ３において、文字データに変換されて通信回線５を介してコンピュータ３から携帯電話機１に返送される。そして、携帯電話機１は、通信回線５を介してコンピュータ３から送信されてきた文字データを受信し、文字編集部１６において文字編集を行い、ディスプレイ１２に表示する。さらに、文字データをコンピュータ３において、かな漢字交じり文に変換し、変換結果が携帯電話機１に返送され、ディスプレイ１２に表示される。そして、音声データから文字データへ変換された変換結果、及び文字データからかな漢字交じり文に変換された変換結果を利用者はボタン操作によって適宜修正することができる。
【００７２】
これにより、利用者は、従来のボタン操作による文字データの入力の代わりに、音声による文字入力が可能となり、煩わしいボタン操作による文字入力の労力を大幅に軽減することが可能となる。さらに、音声データを音声認識した認識結果として得られた文字データに対して修正を行うことができるので、正しい認識結果に対してかな漢字変換処理が行われるようにすることができ、最終的な変換結果の修正作業を効率良く行うことが可能となる。
【００７３】
なお、上記第１の実施の形態では、コンピュータ３上でかな漢字変換作業及び文字編集作業を行い、そのコントロールを携帯電話機１からパケット通信を利用して行うことを提案しているが、音声から文字への変換のみをコンピュータ３上で行い、その作成された文字列をパケット通信を通して携帯電話機１へ受け渡すことで、漢字変換及び文字編集は携帯電話機１上で行うような構成とすることも可能である。
【００７４】
また、コンピュータ３上で漢字変換までを行い、その結果を携帯電話機１へ受け渡し、文字編集のみを携帯電話機１上で行うような構成とすることも可能である。
【００７５】
また、上記各実施の形態では、音声通信回線（電話回線）４とパケット通信回線（通信回線）５をあわせて用いる構成としているが、何らかの理由により音声通信回線を利用することができない場合などには、通信回線５のみを用いて、デジタル化された音声データをコンピュータ３へ送ることにより、通信回線５を電話回線４の代わりに用いるような構成とすることも可能である。
【００７６】
また、上記実施の形態においては、変調装置２は、コンピュータ３の外部に設けるようにしたが、コンピュータ３が変調装置２の機能を備えるようにすることも可能である。
【００７７】
また、上記実施の形態の構成及び動作は例であって、本発明の趣旨を逸脱しない範囲で適宜変更することができることは言うまでもない。
【００７８】
【発明の効果】
以上の如く、本発明に係る文字入力装置によれば、音声を入力し、入力された音声を音声回線を介して情報処理装置に送信し、情報処理装置からパケット回線を介して返送されてきた音声の認識結果を受信し、認識結果を所定の表示装置に表示させ、認識結果の修正を指示する修正情報をパケット回線を介して情報処理装置に送信し、修正情報に基づいて修正された修正後の認識結果に対して、かな漢字変換の開始を指示し、情報処理装置からパケット回線を介して返送されてきた認識結果に対するかな漢字変換結果を受信し、かな漢字変換結果を表示装置に表示させるようにしたので、文字入力を音声によって簡単かつ迅速に行うことができる。また、音声を認識して対応する文字情報に変換する処理は文字入力装置ではなく遠隔地にある情報処理装置が行うので、情報処理装置の性能を高め、音声の認識率やかな漢字変換効率を向上させることにより、文字入力装置の文字入力の効率を向上させることができる。
【図面の簡単な説明】
【図１】本発明が適用される通信システムの一実施の形態の構成例を示すブロック図である。
【図２】図１の通信システムの処理手順を説明するためのフローチャートである。
【符号の説明】
１  携帯電話機
２  変調装置
３  コンピュータ
４  電話回線
５  通信回線
１１，３１  ＣＰＵ＆メモリ部
１２  ディスプレイ
１３  ボタン操作部
１４  マイク
１５  トーン音発信部
１６，３３  文字編集部
１７  メール送受信部
１８  音声通信部
１９，３５  パケット通信部
３２  音声認識部
３４  メール送信部
【図１】
0003982307.tif 000002
【図２】
0003982307.tif 000003